(57)【特許請求の範囲】
【請求項１】
左右１対の脚の上部間に架設され、上部に座が載置されている支基に、背凭れを後傾可能に枢着した椅子において、
前記支基の両側端部よりやや内側方において、背凭れの下部を、左右方向を向く背凭れ支持軸をもって枢着し、かつ前記支基の両側端部に、後部が前記背凭れに取付けられた肘掛の下部を、前記背凭れ支持軸と軸心が一致するとともに、前記支基と脚とを連結する左右方向を向く肘掛支持軸をもって枢着したことを特徴とする椅子の肘掛け装置。
【請求項２】
支基の左右両側に形成された左右１対の肘掛支持軸受間の凹部に肘掛の下部を挿入し、前記１対の肘掛支持軸受と肘掛の下部とに、肘掛支持軸を貫通させた請求項１記載の椅子の肘掛装置。
【請求項３】
脚の上端面を肘掛の枢着部を中心とする円弧状に形成し、肘掛の下部の外側部に脚受入れ段部を形成した請求項１記載の椅子の肘掛装置。
【請求項４】
脚の上端面と肘掛の脚受入れ段部との上下方向で互いに対向する対向部の一方に、上下方向を向く突出部を設け、他方に該突出部を受け入れる溝を設けた請求項３記載の椅子の肘掛装置。
【発明の詳細な説明】
【０００１】
【発明の属する技術分野】
本発明は、背凭れを座の支基に後傾可能に枢着した椅子の肘掛装置に関する。
【０００２】
【従来の技術】
左右１対の脚の上部間に架設され、上部に座を載置した支基に、背凭れを後傾可能に枢着した椅子においては、肘掛は、通常、脚の上部に、ボルト、リベット等によって取付けられている。
【０００３】
【発明が解決しようとする課題】
そのため、従来の椅子では、着座した人が背凭れを後傾させても、肘掛は背凭れに追従して後傾することはなく、背凭れが肘掛から離れて、着座した人に違和感を与えることがある。
【０００４】
本発明は、従来の椅子が有する上記の問題点に鑑み、背凭れの後傾に追従して肘掛も後傾し、着座した人に違和感を与えないようにした椅子の肘掛装置を提供することを目的とする。
【０００５】
【課題を解決するための手段】
本発明によると、上記課題は、次のようにして解決される。
(１) 左右１対の脚の上部間に架設され、上部に座が載置されている支基に、背凭れを後傾可能に枢着した椅子において、
前記支基の両側端部よりやや内側方において、背凭れの下部を、左右方向を向く背凭れ支持軸をもって枢着し、かつ前記支基の両側端部に、後部が前記背凭れに取付けられた肘掛の下部を、前記背凭れ支持軸と軸心が一致するとともに、前記支基と脚とを連結する左右方向を向く肘掛支持軸をもって枢着する。
【０００６】
(２) 上記(１)項において、支基の左右両側に形成された左右１対の肘掛支持軸受間の凹部に肘掛の下部を挿入し、前記１対の肘掛支持軸受と肘掛の下部とに肘掛支持軸を貫通させる。
【０００７】
(３) 上記項(１)において、脚の上端面を肘掛の枢着部を中心とする円弧状に形成し、肘掛の下部の外側部に脚受入れ段部を形成する。
【０００８】
(４) 上記(３)項において、脚の上端面と肘掛の脚受入れ段部との上下方向で互いに対向する対向部の一方に上下方向を向く突出部を設け、他方に該突出部を受け入れる溝を設ける。
【０００９】
【発明の実施の形態】
以下、本発明の実施の形態を、図１〜図６に基づいて説明する。
椅子(１)は、左右両側に脚(２)と肘掛(７)（片方の脚と肘掛は図示省略）を備える支基(３)と、支基(３)に設けられた前後方向を向くトーションバー(４)と、支基(３)に直接或いはトーションバー(４)を介して支基(３)に設けられた座(５)と、支基(３)に前後傾動可能に設けられて、座(５)に連結された背凭れ(６)とを備えている。
【００１０】
左右の肘掛(７)は、図１に示すように、支基(３)の両側端部に設けた左右方向を向く肘掛支持軸(９)をもって、また背凭れ(６)は、肘掛支持軸(９)の内側方において、支基(３)に設けた左右方向を向く背凭れ支持軸(８)をもって、支基(３)に前後方向に傾動可能に設けられている。
【００１１】
肘掛支持軸(９)は、図２に示すように、支基(３)の側端と、そのやや内側方において上向きに突設された脚取付け部(10)と肘掛支持軸受(41)における、軸受孔(24)(42)に貫設されている。
【００１２】
背凭れ支持軸(８)は、肘掛支持軸(９)の内側方において、支基(３)の上面に設けた軸受(36)(36)に枢支されている。
軸受(36)(36)は、左右に対をなし、側面視Ｕ字状に形成されて上部が開口しており、その上面開口縁には、背凭れ支持軸(８)が上方へ抜けないように、ボルト(45)(45)をもって、抜け止め片(40)が取付けられている。
【００１３】
肘掛(７)の外側面下部には脚受入れ段部(54)が形成され、脚取付け部(10)と肘掛支持軸受(41)との間において、支基(３)の上面には、凹部(55)が設けられている。
【００１４】
図１に示すように、肘掛支持軸(９)と背凭れ支持軸(８)は、都合４本（図では２本省略）が、軸心を一致させて、支基(３)上に左右方向に配列されている。
そのため、肘掛(７)の上端は、背凭れ(６)の中間部に取付けられているが、背凭れ(６)と肘掛(７)は、一体的に前後方向に傾動する。
【００１５】
なお、４本の肘掛支持軸(９)と背凭れ支持軸(８)が、軸心を一致させて支基(３)上に左右方向に配列されていることに鑑み、計４本の肘掛支持軸(９)と背凭れ支持軸(８)を、１本の軸としてもよい。
【００１６】
次に、図３を参照して、肘掛(７)と脚(２)との対向する部分の構成について説明する。
脚(２)の上端面(2a)は、肘掛支持軸(９)を中心とする円弧状に形成されている。
肘掛(７)の下部(7a)の外側には、脚(２)の上端面(2a)を受け入れる脚受入れ段部(54)が形成されており、脚(２)の外側面と肘掛(７)の外側面とは、ほぼ同一面となっている。
【００１７】
脚(２)の上端面(2a)には、肘掛(７)に上部が埋め込まれた側面視Ｕ字状の脚係合金具(37)の下部である突出部(37a)を受け入れる溝(38)が形成されている。溝(38)の前後方向の長さは、背凭れ(６)の前後方向への傾動を許容する長さとされている。
【００１８】
なお、脚係合金具(37)を脚(２)の上端面(2a)に形成し、溝(38)を肘掛(７)に形成してもよい。
【００１９】
次に、支基に、脚、肘掛、背凭れ、及び、化粧カバーを取付ける順序を説明する。
【００２０】
図２に示すように、まず、脚(２)の上端両側に設けた凹所(11)に、支基(３)のにおける脚取付け部(10)を嵌合させるとともに、脚取付け部(10)に、設けた外向突出部(12)を、凹所(11)に設けた左右方向の貫通孔(13)に嵌合させ、外向突出部(12)の外面よりあけためねじ孔(14)に有頭ねじ(15)を締め込み、その頭部(15a)によって、凹所(11)の底部(31)を、脚取付け部(10)における外向突壁(21)と肘掛支持軸受(22)とに押圧させる。
これにより、脚(２)は支基(３)に取付けられる。
【００２１】
脚(２)の上部両側に凹所(11)が形成されているため、脚(２)は、右用、左用に限定されることなく、支基(３)の両側の何れにも取付けることができる。
【００２２】
その後、図１に示すように、肘掛(７)と一体化された背凭れ(６)の下部(6a)に設けられた背凭れ支持軸(８)を、側面視Ｕ字状の軸受(36)(36)に上方から挿入した後、軸受(36)の上面開口部に、ボルト(45)をもって受け止め片(40)を取付け、背凭れ支持軸(８)が軸受(36)から外れないようにする。
【００２３】
一方、図２に示すように、脚係合金具(37)を溝(38)に係合させながら、肘掛(７)の下端(7a)を肘掛支持軸受(22)(41)間の凹部(55)に落し込んだ後、肘掛支持軸貫通孔(32)と、軸受孔(24)(42)とに、鍔(43)付き肘掛支持軸(９)を外側方より貫通させ、肘掛支持軸(９)の内端に止め輪(44)を装着する。
【００２４】
最後に、化粧カバー(33)を凹所(11)に嵌合し、突軸(34)をカバー取付け孔(35)に圧入して、脚(２)に装着する。
化粧カバー(33)は、取付けられた後、外側から押されても、突軸(34)を有するため、凹むようなことはない。
【００２５】
なお、背凭れ(６)は、図５に示すように、左右１対の連結片(39)（片方は図示省略）によって、座(５)の後部に連結されている。
【００２６】
さらに、背凭れ(６)は、背凭れ(６)に回転可能に設けられた左右１対の押圧駒(46)（片方は図示省略）を、トーションバー(４)の後端に上方から接触させて、トーションバーに連結されている。
【００２７】
着座した人が、背凭れ(６)に寄り掛かると、背凭れ(６)は背凭れ支持軸(８)を中心に後傾し、肘掛(７)は、肘掛支持軸(９)を中心に後傾して、背凭れ(６)に対する寄り掛かり力と、トーションバー(４)の弾力との釣り合いがとれたところで、背凭れ(６)の後傾は停止し、安楽姿勢をとることができる。
【００２８】
しかも、背凭れ(６)と肘掛(７)が一体に後傾するため、着座した人は、違和感を感じることがない。
【００２９】
脚の変形例として、図６に示すものがある。
この脚(51)は、支基(３)に取付けられる支持杆(52)が、平面視逆前向Ｕ字状の着床片(53)によって一体化されている。この支持杆(52)にも、上部両側に凹所(11)が形成されている。さらに、上面(51a)も、肘掛支持軸(９)を中心として円弧状に形成されている。
【００３０】
【発明の効果】
請求項１の発明によると、支基に対する背凭れの枢着位置と、支基に対する肘掛の枢着位置とを左右方向において一致させてあるので、肘掛の上部が背凭れに取付けられていても、背凭れと肘掛が一体に後傾して、互いに離れるようなことがない。このため、椅子に着座した人に対して違和感を与えるようなことがない。
【００３１】
請求項２の発明のように、支基の左右両側に各々形成された左右１対の肘掛支持軸受間の凹部に肘掛の下部を挿入し、前記１対の肘掛支持軸受と肘掛の下部とに肘掛支持軸を貫通させると、肘掛を強固に、かつがたなく支基に後傾可能に取付けることができる。
【００３２】
請求項３の発明のように、脚の上端面を肘掛の枢着部を中心とする円弧状に形成し、肘掛の下部の外側部に脚受け入れ段部を形成すると、脚の上部と肘掛との間の隙間が少なくなり、着座した人の衣服がその隙間に挟まれることがなくなり、安全性に優れた椅子を得ることができる。また、脚の側面と肘掛の側面とを面一にして、椅子の見栄えを良くすることもできる。
【００３３】
請求項４の発明のように、脚の上端面と肘掛の脚受け入れ段部との上下方向で互いに対向する対向部の一方に上下方向を向く突出部を設け、他方に該突出部を受け入れる溝を設けると、椅子の側方からの肘掛と脚との突出を防止することができる。
【図面の簡単な説明】
【図１】  本発明の実施形態の椅子の背凭れ支持軸と肘掛支持軸とに沿った半部縦断正面図であり、図５における、I−I線断面図である。
【図２】  図１における、脚を支基に取付ける部分の拡大断面図である。
【図３】  支基の側部の一部分、脚、肘掛、化粧カバーの斜視図である。
【図４】  背凭れが起立した状態の椅子の側面図である。
【図５】  座、支基、背凭れの下部の縦断側面図である。
【図６】  他の実施形態の脚における斜視図である。
【符号の説明】
(１)椅子
(２)脚
(2a)上端面
(３)支基
(４)トーションバー
(５)座
(６)背凭れ
(6a)下部
(７)肘掛
(7a)下部
(８)背凭れ支持軸
(９)肘掛支持軸
(10)脚取付け部
(11)凹所
(12)外向突出部
(13)貫通孔
(14)めねじ孔
(15)有頭ねじ
(15a)頭部
(21)外向突壁
(22)肘掛支持軸受
(24)軸受孔
(31)底部
(32)肘掛支持軸貫通孔
(33)化粧カバー
(34)突軸
(35)カバー取付け孔
(36)背凭れ支持軸の軸受
(37)脚係合金具
(37a)突出部
(38)溝
(39)連結片
(40)受け止め片
(41)肘掛支持軸受
(42)軸受孔
(43)鍔
(44)止め輪
(45)ボルト
(46)押圧駒
(51)脚
(51a)上面
(52)支持杆
(53)着床片
(54)脚受入れ段部
(55)凹部
【図１】
0004018776.tif 000002
【図２】
0004018776.tif 000003
【図３】
0004018776.tif 000004
【図４】
0004018776.tif 000005
【図５】
0004018776.tif 000006
【図６】
0004018776.tif 000007